(57)【要約】【課題】消費電力が低減された照明装置を提供する。【解決手段】照明装置１は、発光モジュール１１と、長尺の板状であり第１主面１３ａ側に発光モジュール１１が配置されるベース部材１３と、発光モジュール１１からベース部材１３における第１主面１３ａが臨む方向へ放射される光をベース部材１３の第２主面１３ｂ側へ導光する導光部材１５と、を備える。導光部材１５は、長尺の板状でありベース部材１３の第２主面１３ｂに沿って配設された第１導光部１５１と、長尺の板状であり基端部で第１導光部１５１に連続しベース部材１３の端部１３１からベース部材１３の第１主面１３ａ側へ張り出し先端部が発光モジュール１１に対向する第２導光部１５２と、を有する。【選択図】図４
2018152188.tif 000002
【特許請求の範囲】
【請求項１】
発光モジュールと、
板状であり第１主面側に前記発光モジュールが配置されるベース部材と、
前記発光モジュールから前記ベース部材における前記第１主面が臨む方向へ放射される光を前記ベース部材の第２主面側へ導光する導光部材と、を備える、
照明装置。
【請求項２】
前記導光部材は、
板状であり前記ベース部材の前記第２主面に沿って配設された第１導光部と、
板状であり基端部で前記第１導光部に連続し前記ベース部材の一端部から前記ベース部材の前記第１主面側へ張り出し先端部が前記発光モジュールに対向する第２導光部と、を有する、
請求項１に記載の照明装置。
【請求項３】
前記発光モジュールにおける光放射方向側を覆うように配置され前記発光モジュールから放射される光を拡散する光拡散部を更に備える、
請求項１または２に記載の照明装置。
【請求項４】
前記第１導光部は、前記ベース部材の前記第１主面に対向する面に、前記第１導光部における前記一端部から他端部に向かう第１方向に直交する第２方向に沿って延長された複数の溝が設けられ、
前記ベース部材の前記第１方向で隣接する２つの溝の間の間隔は、前記第１導光部における前記一端部から前記他端部に向かって狭くなっている、
請求項２に記載の照明装置。
【請求項５】
前記ベース部材の前記一端部から他端部に向かう第１方向における前記第２導光部側の端部は、前記第１主面側に反るように湾曲し、
前記第１導光部の前記第２導光部側の端部は、前記ベース部材に沿って前記第１主面側に反るように湾曲している、
請求項２または４に記載の照明装置。
【請求項６】
透光性を有し、前記導光部材における前記ベース部材側とは反対側を覆う第１カバーと、
透光性を有し、前記第１カバーにおける前記導光部材側とは反対側に配置され前記第１カバーに沿った方向における一端部で前記第１カバーに固定され他端部が前記第１カバーに向かう方向に付勢された第２カバーと、を更に備える、
請求項１乃至５のいずれか１項に記載の照明装置。
【請求項７】
前記ベース部材の一部から前記第１主面と交差する方向へ延出し前記ベース部材側とは反対側に前記発光モジュールが固定される固定片を更に備え、
前記固定片における前記発光モジュールが固定される固定面は、前記ベース部材の前記第２主面に対して傾斜している、
請求項１乃至６のいずれか１項に記載の照明装置。
【発明の詳細な説明】
【技術分野】
【０００１】
本発明は、照明装置に関する。
【背景技術】
【０００２】
商品陳列棚の棚板の下面前端部に配設され、棚板の下方に陳列された商品を照明する棚下灯が提案されている（例えば特許文献１参照）。
【先行技術文献】
【特許文献】
【０００３】
【特許文献１】特開２０１４−２２１３５号公報
【発明の概要】
【発明が解決しようとする課題】
【０００４】
ところで、商品陳列棚には、その棚板の前端部に商品名等を記載したプレートが取り付けたものがある。そして、この種の商品陳列棚の中には、商品に顧客の注意を惹きつけることを目的として、プレートを発光させることができるものが提供されつつある。しかしながら、このような商品陳列棚として、例えば特許文献１に記載の棚下灯に加えて別途プレートを発光させるための照明装置を備えるものの場合、２つの照明装置を駆動する電力が必要となり、その分、消費電力が増大する虞があった。
【０００５】
本発明は、上記事由に鑑みてなされたものであり、消費電力が低減された照明装置を提供することを目的とする。
【課題を解決するための手段】
【０００６】
上記目的を達成するため、本発明に係る照明装置は、
発光モジュールと、
板状であり第１主面に前記発光モジュールが配置されるベース部材と、
前記発光モジュールから前記ベース部材における前記第１主面が臨む方向へ放射される光を前記ベース部材の第２主面側へ導光する導光部材と、を備える。
【発明の効果】
【０００７】
本発明によれば、導光部材が、発光モジュールからベース部材における第１主面が臨む方向へ放射される光をベース部材の第２主面側へ導光する。これにより、１つの発光モジュールから放射される光が、ベース部材の第１主面が臨む領域と第２主面が臨む領域へ配光される。従って、ベース部材の第１主面、第２主面それぞれが臨む２つの領域の照明を１つの発光モジュールで行うことができるので、例えば２つの発光モジュールで２つの領域を照明する照明装置に比べて照明装置での消費電力が低減される。
【図面の簡単な説明】
【０００８】
【図１】本発明の実施の形態に係る照明装置を示し、（Ａ）は斜視図であり、（Ｂ）は他の方向から見た斜視図であり、（Ｃ）は正面図である。
【図２】実施の形態に係る照明装置が取り付けられた商品陳列棚の斜視図である。
【図３】（Ａ）は図１（Ｂ）の一点鎖線で囲んだ部分の拡大図であり、（Ｂ）は図１（Ａ）の一点鎖線で囲んだ部分の拡大図である。
【図４】実施の形態に係る照明装置について、図１（Ｃ）のＡ−Ａ線における断面矢視図である。
【図５】実施の形態に係る商品陳列棚の一部を示す拡大図である。
【図６】変形例に係る照明装置の断面図である。
【発明を実施するための形態】
【０００９】
以下に、本発明の実施の形態に係る照明装置について添付図面を参照しながら説明する。図１（Ａ）乃至（Ｃ）に示すように、照明装置１は、長尺の発光モジュール１１と、長尺のベース部材１３と、導光部材１５と、長尺のカバー１７と、フレーム１９と、を備える。照明装置１は、例えば図２に示すように、商品陳列棚１００の棚板１０１の前端部に固定されて使用される。
【００１０】
発光モジュール１１は、図３（Ａ）および（Ｂ）に示すように、回路基板１１１と、回路基板１１１に実装された複数の発光部１１２と、複数の限流素子１１３と、を備える。回路基板１１１は、例えば長尺の矩形板状のガラスエポキシ樹脂から形成された基板と、基板上に形成された導体パターン（図示せず）と、を有する。発光部１１２は、例えばＳＭＤ（Surface Mount Device）タイプのものから構成される。発光部１１２は、例えばＧａＮ系材料から形成され可視光波長帯域４１０ｎｍ乃至５００ｎｍの青色光を出射するＬＥＤ（Light Emitting Diode）と、ＬＥＤから出射される青色光のうちの一部を他の可視光波長帯域（例えば、４８０ｎｍ乃至６３０ｎｍの範囲の波長帯域）の光に変換する波長変換部とから構成される。そして、発光部１１２からは、青色光と可視光波長帯域の光とを混合してなる白色光が出射される。
【００１１】
複数の発光部１１２は、回路基板１１１上に等間隔に列状に実装されている。発光部１１２は、回路基板１１１に形成された導体パターンを介して、互いに直列または並列に接続されている。限流素子１１３は、抵抗体から構成され、回路基板１１１に形成された導体パターンに介挿され、発光部１１２に流れる電流を予め設定された大きさに制限する。また、回路基板１１１上には、電極１１４が形成されており、導電パターンと電気的に接続されている。電極１１４は、外部の直流電源（図示せず）に導電線（図示せず）を介して電気的に接続される。そして、直流電源から導電線、電極１１４および導電パターンを通じて発光部１１２に電流が流れると、発光部１１２が点灯する。
【００１２】
ベース部材１３は、平面視で長尺の板状であり、第１主面１３ａ側に発光モジュール１１が配置される。ベース部材１３は、例えば金属や非透光性の樹脂材料から形成されている。ベース部材１３のＺ軸方向（第１方向）における第２導光部１５２側の端部１３１は、ベース部材１３の第１主面１３ａ側に反るように湾曲している。また、ベース部材１３の短手方向における他方の端部１３２は、第１主面１３ａ側に折り返されている。
【００１３】
固定片１４は、ベース部材１３の一部から第１主面１３ａと交差する方向へ延出しベース部材１３側とは反対側に発光モジュール１１が接着剤１１５を介して固定される。固定片１４の先端部１４ａは、ベース部材１３側とは反対側に屈曲している。固定片１４は、例えば金属や樹脂材料から形成され、ベース部材１３と連続一体に形成されている。また、図４に示すように、固定片１４における発光モジュール１１が固定される固定面１４１は、Ｙ軸方向から見たときに、ベース部材１３の第１主面１３ａに対して角度θ１だけ傾斜している。そして、角度θ１を変更することにより、発光モジュール１１から放射される光のうち、ベース部材１３の第１主面１３ａが臨む領域Ｓ１へ配光される成分とベース部材１３の第２主面１３ｂが臨む領域Ｓ２へ配光される成分との割合を調整することができる。また、接着剤１１５としては、例えば導電性接着剤を用いることができる。
【００１４】
導光部材１５は、発光モジュール１１からベース部材１３における第１主面１３ａが臨む方向へ放射される光をベース部材１３の第２主面１３ｂ側へ導光する。導光部材１５は、第１導光部１５１と、第２導光部１５２と、光反射部１５３と、を有する。第１導光部１５１は、長尺の板状でありベース部材１３の第２主面１３ｂに沿って配設されている。第２導光部１５２は、長尺の板状であり基端部で第１導光部１５１に連続しベース部材１３の端部からベース部材１３の第１主面１３ａ側へ張り出し先端部が発光モジュール１１に対向している。発光モジュール１１から第２導光部１５２の端面１５ａから第２導光部１５２内へ入射した光は、第２導光部１５２および第１導光部１５１内を伝播してベース部材１３の第２主面１３ｂ側へ導かれる。ここで、第１導光部１５１は、ベース部材１３の湾曲した端部１３１と重なる部分までを含み、第２導光部１５２は、ベース部材１３の端部１３１から外側へ張り出しベース部材１３の端部１３１と重ならない部分に相当する。また、第１導光部１５１の第２導光部１５２側の端部１５１ｂは、ベース部材１３に沿ってベース部材１３の第１主面１３ａ側に反るように湾曲している。光反射部１５３は、第１導光部１５１とベース部材１３との間に介在し、第１導光部１５１内を伝播する光をカバー１７側へ向けて反射する。第１導光部１５１と第２導光部１５２とは、例えば透光性を有するポリカーボネート樹脂やポリウレタン樹脂等から形成されている。光反射部１５３は、例えば白色のポリカーボネート樹脂やポリウレタン樹脂等から形成されている。光反射部１５３は、例えば二色成形法を利用して、第１導光部１５１と一体に形成されている。なお、第２導光部１５２の形状は、導光機能を実現できる形状であれば図４に示す形状に限定されるものではない。
【００１５】
第１導光部１５１は、ベース部材１３の第１主面１３ａに対向する面に、第１導光部１５１の短手方向における一端部から他端部に向かう＋Ｚ方向（第１方向）に直交するＹ軸方向（第２方向）に沿って延長された複数の溝１５１ａが設けられている。ベース部材１３のＺ軸方向で隣接する２つの溝１５１ａの間の距離Ｗ１、Ｗ２、Ｗ３は、第１導光部１５１における＋Ｚ方向に向かって狭くなっている。具体的には、距離Ｗ１、Ｗ２、Ｗ３の場合、距離Ｗ１、Ｗ２、Ｗ３の順に短くなっている。
【００１６】
カバー１７は、第１導光部１５１におけるベース部材１３側とは反対側を覆う第１カバー１７１と、第１カバー１７１における第１導光部１５１側とは反対側に配置された第２カバー１７３と、光拡散部１７２と、を有する。第２カバー１７３は、−Ｚ方向の端部で第１カバー１７１に固定され、＋Ｚ方向の端部１７３ａが第１カバー１７１に向かう方向に付勢されている。第２カバー１７３の端部１７３ａは、略円柱状の形状を有する。また、第１カバー１７１の第２カバー１７３の端部１７３ａに対向する部位には、突起部１７１ａが設けられている。第１カバー１７１と第２カバー１７３とは、透光性を有する樹脂材料から形成されている。また、第１カバー１７１の＋Ｚ方向側の端部１７１ｂは、ベース部材１３の端部１３２に沿ってベース部材１３の第１主面１３ａ側に反るように湾曲している。
【００１７】
光拡散部１７２は、発光モジュール１１における光放射方向側を覆うように配置され発光モジュール１１から放射される光を拡散する。光拡散部１７２は、例えば透明な樹脂材料から形成された基材中に、基材を形成する樹脂材料とは屈折率が異なる透明な無機微粒子または樹脂微粒子を分散させたものから構成されている。
【００１８】
フレーム１９は、長尺の矩形板状であり、基端部でベース部材１３に連続しＺ軸方向と交差する方向へ延出している。フレーム１９は、例えば金属や非透光性の樹脂材料から形成されている。
【００１９】
本実施の形態に係る照明装置１は、図５に示すように、商品陳列棚１００の棚板１０１の前端部１０２をフレーム１９とベース部材１３の端部１３２およびカバー１７の端部１７１ｂとの間に挟持される形で、棚板１０１に固定される。
【００２０】
以上説明したように、本実施の形態に係る照明装置１によれば、導光部材１５が、発光モジュール１１からベース部材１３における第１主面１３ａが臨む方向へ放射される光をベース部材の第２主面１３ｂ側へ導光する。具体的には、第１導光部１５１がベース部材１３の第２主面１３ｂに沿って配設されている。また、第２導光部１５２が基端部で第１導光部１５１に連続しベース部材１３の端部からベース部材１３の第１主面１３ａ側へ張り出し先端部が発光モジュール１１に対向している。これにより、１つの発光モジュール１１から放射される光が、ベース部材１３の第１主面１３ａが臨む領域Ｓ１と第２主面１３ｂ側の領域Ｓ２へ配光される。従って、ベース部材１３の第１主面１３ａ、第２主面１３ｂそれぞれが臨む２つの領域Ｓ１、Ｓ２の照明を１つの発光モジュール１１で行うことができるので、例えば２つの発光モジュールで２つの領域Ｓ１、Ｓ２を照明する照明装置に比べて照明装置１での消費電力が低減される。
【００２１】
また、本実施の形態に係る光拡散部１７２は、発光モジュール１１における光放射方向側を覆うように配置され発光モジュール１１から放射される光を拡散する。これにより、発光モジュール１１からベース部材１３の第１主面１３ａが臨む領域Ｓ１へ放射される光の色斑が低減されるという利点がある。
【００２２】
更に、本実施の形態に係る第１導光部１５１に設けられた複数の溝１５１ａは、第１導光部１５１の＋Ｚ方向に向かって狭くなっている。これにより、第１導光部１５１の＋Ｚ方向の端部近傍における光の取り出し効率が向上するので、第１導光部１５１から放射される光の強度斑が低減されるという利点がある。
【００２３】
また、本実施の形態に係る第１導光部１５１の端部１５１ｂは、ベース部材１３に沿ってベース部材１３の第１主面１３ａ側に反るように湾曲している。これにより、第１導光部１５１の端部１５１ｂが、ベース部材１３の端部１３１により係止されるので、導光部材１５の位置ずれを防止できる。
【００２４】
更に、本実施の形態に係る第２カバー１７３は、第１カバー１７１における第１導光部１５１側とは反対側に配置され−Ｚ方向の端部で第１カバー１７１に固定され＋Ｚ方向の端部１７３ａが第１カバー１７１に向かう方向に付勢されている。これにより、照明装置１は、第１カバー１７１と第２カバー１７３とで、商品名等が記載された透光性を有するプレート（図示せず）が挟持された状態で使用することができる。
【００２５】
また、本実施の形態に係る固定片１４の固定面１４１は、Ｙ軸方向から見たときに、ベース部材１３の第１主面１３ａに対して角度θ１だけ傾斜している。これにより、固定面１４１の第１主面１３ａに対する傾斜角度θ１に応じて、２つの領域Ｓ１、Ｓ２それぞれへ配光される光量の割合を調整することが可能となる。
【００２６】
（変形例）
以上、本発明の実施の形態について説明したが、本発明は実施の形態の構成に限定されるものではない。例えば、図６に示す照明装置２のように、カバー２０１７が、光拡散部を備えておらず、発光モジュール１１がベース部材１３の第１主面１３ａに直接固定されている構成であってもよい。本構成によれば、実施の形態に係る照明装置１に比べて構成が簡素化されているので、その分、製造が容易であるという利点がある。
【００２７】
実施の形態では、長尺の発光モジュール１１と、長尺のベース部材１３と、長尺の導光部材１５と、長尺のカバー１７と、を備える照明装置１について説明したが、発光モジュール１１、ベース部材１３、導光部材１５およびカバー１７の形状は長尺のものに限定されるものではない。
【００２８】
実施の形態に係る光反射部１５３の材料は、前述の白色のポリカーボネート樹脂やポリウレタン樹脂等に限定されるものではなく、例えば金属膜から形成されていてもよい。
【００２９】
実施の形態では、ＬＥＤを含む構成の発光部１１２を備える構成について説明したが、発光部１１２の構成はこれに限定されるものではなく、他の無機ＥＬ（Electro Luminescence）素子や有機ＥＬ素子を利用した構成であってもよい。
【００３０】
実施の形態に係る照明装置１は、商品陳列棚１００の棚下照明用途に限定されるものではなく、例えば間接照明のような他の用途に使用されてもよい。
【００３１】
以上、本発明の各実施の形態および変形例（なお書きに記載したものを含む。以下、同様。）について説明したが、本発明はこれらに限定されるものではない。本発明は、実施の形態及び変形例が適宜組み合わされたもの、それに適宜変更が加えられたものを含む。
【産業上の利用可能性】
【００３２】
本発明の照明装置は、各種店舗什器の照明用途として好適に使用される。
【符号の説明】
【００３３】
１，２：照明装置、１１：発光モジュール、１３：ベース部材、１３ａ：第１主面、１３ｂ：第２主面、１４：固定片、１４ａ：先端部、１５：導光部材、１５ａ：端面、１７，２０１７：カバー、１９：フレーム、１００：商品陳列棚、１０１：棚板、１０２：前端部、１１１：回路基板、１１２：発光部、１１３：限流素子、１１４：電極、１１５：接着剤、１３１，１３２，１５１ｂ，１７１ｂ，１７３ａ：端部、１４１：固定面、１５１：第１導光部、１５１ａ：溝、１５２：第２導光部、１５３：光反射部、１７１：第１カバー、１７１ａ：突起部、１７２：光拡散部、１７３：第２カバー、Ｓ１，Ｓ２：領域
【図１】
2018152188.tif 000003
【図２】
2018152188.tif 000004
【図３】
2018152188.tif 000005
【図４】
2018152188.tif 000006
【図５】
2018152188.tif 000007
【図６】
2018152188.tif 000008